(57)【要約】【課題】カラー画像について色ずれとコントラストの両方の観点から画質を改善する。【解決手段】画像読取部は、赤、緑、青の光を順次切り替えて、主走査方向にわたって各色の光を照射してカラー画像を読み取って、このカラー画像の階調値を表す画像データを出力する。画素補間部４１は、画像読取部から出力された画像データに対して赤、緑、青の色成分毎に画素間の階調値を補間する画素補間を行う。フィルタ処理部４２は、画素補間が行われた画像データに対して、高周波数成分を減衰させるフィルタ処理を行う。エッジ強調処理部４３は、フィルタ処理が施された画像データに対して、エッジ部分を強調する処理を施し、処理後の画像データを出力する。【選択図】図４
2013123110.tif 000002
【特許請求の範囲】
【請求項１】
複数の色の光を順次切り替えて、主走査方向にわたって各色の光を照射してカラー画像を読み取る画像読取部から前記カラー画像の階調値を表す画像データが出力されると、前記画像データに対して前記各色の色成分毎に画素間の階調値を補間する画素補間を行う画素補間部と、
前記画素補間が行われた画像データに特定の周波数成分を減衰させるフィルタ処理を施すフィルタ処理部と、
前記フィルタ処理が施された画像データにエッジ部分を強調する処理を施し、当該処理後の画像データを出力するエッジ強調処理部と
を備えることを特徴とする画像処理装置。
【請求項２】
前記フィルタ処理部は、閾値よりも高い帯域の周波数成分を減衰させるローパスフィルタを使用し、前記ローパスフィルタのフィルタ係数をＡとしたときに、前記画像データが表す注目画素の階調値に（１−Ａ）を乗じた値と、前記注目画素と副走査方向に隣り合う隣接画素の階調値にＡを乗じた値との総和を、前記注目画素の処理後の階調値とする
ことを特徴とする請求項１に記載の画像処理装置。
【請求項３】
前記エッジ強調処理部において前記エッジ部分が予め定められた度合いで強調される場合、前記フィルタ係数の値は、０．１以上０．３以下の範囲の値である
ことを特徴とする請求項２に記載の画像処理装置。
【請求項４】
前記フィルタ係数の値は、０．１５以上０．２以下の範囲の値である
ことを特徴とする請求項３に記載の画像処理装置。
【請求項５】
前記フィルタ係数の値は、０．１８である
ことを特徴とする請求項４に記載の画像処理装置。
【請求項６】
前記フィルタ係数に用いられる第１の値と、前記第１の値よりも小さい第２の値と、前記第１の値よりも大きい第３の値とを記憶する記憶部と、
標準の動作モードよりもコントラストの改善に優れた第１の動作モード、又は前記標準の動作モードよりも色ずれの改善に優れた第２の動作モードの指定を受け付ける受付部とを備え、
前記フィルタ処理部は、前記標準の動作モードにおいては、前記記憶部に記憶された前記第１の値をフィルタ係数の値に設定し、前記受付部が前記第１の動作モードの指定を受け付けた場合には、前記記憶部に記憶された前記第２の値を前記フィルタ係数の値に設定し、前記受付部が前記第２の動作モードの指定を受け付けた場合には、前記記憶部に記憶された前記第３の値を前記フィルタ係数の値に設定する
ことを特徴とする請求項２に記載の画像処理装置。
【請求項７】
複数の色の光を順次切り替えて、主走査方向にわたって各色の光を照射してカラー画像を読み取って、前記カラー画像の階調値を表す画像データを出力する画像読取部と、
前記画像読取部から出力された画像データに対して前記各色の色成分毎に画素間の階調値を補間する画素補間を行う画素補間部と、
前記画素補間が行われた画像データに特定の周波数成分を減衰させるフィルタ処理を施すフィルタ処理部と、
前記フィルタ処理が施された画像データにエッジ部分を強調する処理を施し、当該処理後の画像データを出力するエッジ強調処理部と、
前記処理後の画像データに応じた画像を媒体に形成する画像形成部と
を備えることを特徴とする画像形成装置。
【請求項８】
コンピュータに、
複数の色の光を順次切り替えて、主走査方向にわたって各色の光を照射してカラー画像を読み取る画像読取部から前記カラー画像の階調値を表す画像データが出力されると、前記画像データに対して前記各色の色成分毎に画素間の階調値を補間する画素補間を行うステップと、
前記画素補間が行われた画像データに特定の周波数成分を減衰させるフィルタ処理を施すステップと、
前記フィルタ処理が施された画像データにエッジ部分を強調する処理を施し、当該処理後の画像データを出力するステップと
を実行させるためのプログラム。
【発明の詳細な説明】
【技術分野】
【０００１】
本発明は、画像処理装置、画像形成装置及びプログラムに関する。
【背景技術】
【０００２】
空間フィルタを用いて種々の画像処理を行う技術が知られている。例えば、特許文献１には、画像信号に対して、ローパスフィルタを用いてノイズ除去処理を行うとともに、ハイパスフィルタを用いて解像度向上処理を行う技術が記載されている。
【先行技術文献】
【特許文献】
【０００３】
【特許文献１】特開２００７−６０４５７号公報
【発明の概要】
【発明が解決しようとする課題】
【０００４】
本発明は、カラー画像について色ずれとコントラストの両方の観点から画質を改善することを目的とする。
【課題を解決するための手段】
【０００５】
本発明の請求項１に係る画像処理装置は、複数の色の光を順次切り替えて、主走査方向にわたって各色の光を照射してカラー画像を読み取る画像読取部から前記カラー画像の階調値を表す画像データが出力されると、前記画像データに対して前記各色の色成分毎に画素間の階調値を補間する画素補間を行う画素補間部と、前記画素補間が行われた画像データに特定の周波数成分を減衰させるフィルタ処理を施すフィルタ処理部と、前記フィルタ処理が施された画像データにエッジ部分を強調する処理を施し、当該処理後の画像データを出力するエッジ強調処理部とを備えることを特徴とする。
【０００６】
本発明の請求項２に係る画像処理装置は、請求項１に記載の画像処理装置において、前記フィルタ処理部は、閾値よりも高い帯域の周波数成分を減衰させるローパスフィルタを使用し、前記ローパスフィルタのフィルタ係数をＡとしたときに、前記画像データが表す注目画素の階調値に（１−Ａ）を乗じた値と、前記注目画素と副走査方向に隣り合う隣接画素の階調値にＡを乗じた値との総和を、前記注目画素の処理後の階調値とすることを特徴とする。
【０００７】
本発明の請求項３に係る画像処理装置は、請求項２に記載の画像処理装置において、前記エッジ強調処理部において前記エッジ部分が予め定められた度合いで強調される場合、前記フィルタ係数の値は、０．１以上０．３以下の範囲の値であることを特徴とする。
【０００８】
本発明の請求項４に係る画像処理装置は、請求項３に記載の画像処理装置において、前記フィルタ係数の値は、０．１５以上０．２以下の範囲の値であることを特徴とする。
【０００９】
本発明の請求項５に係る画像処理装置は、請求項４に記載の画像処理装置において、前記フィルタ係数の値は、０．１８であることを特徴とする。
【００１０】
本発明の請求項６に係る画像処理装置は、請求項２に記載の画像処理装置において、前記フィルタ係数に用いられる第１の値と、前記第１の値よりも小さい第２の値と、前記第１の値よりも大きい第３の値とを記憶する記憶部と、標準の動作モードよりもコントラストの改善に優れた第１の動作モード、又は前記標準の動作モードよりも色ずれの改善に優れた第２の動作モードのいずれかの指定を受け付ける受付部とを備え、前記フィルタ処理部は、前記標準の動作モードにおいては、前記記憶部に記憶された前記第１の値をフィルタ係数の値に設定し、前記受付部が前記第１の動作モードの指定を受け付けた場合には、前記記憶部に記憶された前記第２の値を前記フィルタ係数の値に設定し、前記受付部が前記第２の動作モードの指定を受け付けた場合には、前記記憶部に記憶された前記第３の値を前記フィルタ係数の値に設定することを特徴とする。
【００１１】
本発明の請求項７に係る画像形成装置は、複数の色の光を順次切り替えて、主走査方向にわたって各色の光を照射してカラー画像を読み取って、前記カラー画像の階調値を表す画像データを出力する画像読取部と、前記画像読取部から出力された画像データに対して前記各色の色成分毎に画素間の階調値を補間する画素補間を行う画素補間部と、前記画素補間が行われた画像データに特定の周波数成分を減衰させるフィルタ処理を施すフィルタ処理部と、前記フィルタ処理が施された画像データにエッジ部分を強調する処理を施し、当該処理後の画像データを出力するエッジ強調処理部と、前記処理後の画像データに応じた画像を媒体に形成する画像形成部とを備えることを特徴とする。
【００１２】
本発明の請求項８に係るプログラムは、コンピュータに、複数の色の光を順次切り替えて、主走査方向にわたって各色の光を照射してカラー画像を読み取る画像読取部から前記カラー画像の階調値を表す画像データが出力されると、前記画像データに対して前記各色の色成分毎に画素間の階調値を補間する画素補間を行うステップと、前記画素補間が行われた画像データに特定の周波数成分を減衰させるフィルタ処理を施すステップと、前記フィルタ処理が施された画像データにエッジ部分を強調する処理を施し、当該処理後の画像データを出力するステップとを実行させるためのプログラムである。
【発明の効果】
【００１３】
請求項１に係る発明によれば、フィルタ処理部及びエッジ強調処理部を備えていない構成に比べて、カラー画像について色ずれとコントラストの両方の観点から画質を改善することができる。
請求項２に係る発明によれば、注目画素と主走査方向に隣り合う隣接画素の階調値と、注目画素と副走査方向に隣り合う隣接画素の階調値とを用いてフィルタ処理を行う場合に比べて、フィルタ処理の負荷を減らすことができる。
請求項３に係る発明によれば、フィルタ係数の値が０．１以上０．３以下の範囲外の値である場合に比べて、カラー画像について色ずれとコントラストの両方の観点から画質を改善することができる。
請求項４に係る発明によれば、フィルタ係数の値が０．１５以上０．２以下の範囲外の値である場合に比べて、カラー画像の色ずれとコントラストの両方を改善することができる。
請求項５に係る発明によれば、フィルタ係数の値が０．１８以外の値である場合に比べて、カラー画像の色ずれとコントラストの両方を良好な状態にすることができる。
請求項６に係る発明によれば、色ずれ又はコントラストのいずれかを優先して改善することを選択することができる。
請求項７に係る発明によれば、フィルタ処理部及びエッジ強調処理部を備えない場合に比べて、カラー画像について色ずれとコントラストの両方の観点から画質を改善することができる。
請求項８に係る発明によれば、フィルタ処理を施すステップ及びエッジ部分を強調する処理を施すステップを備えない場合に比べて、カラー画像について色ずれとコントラストの両方の観点から画質を改善することができる。
【図面の簡単な説明】
【００１４】
【図１】実施形態に係る画像形成装置の構成を示す図
【図２】画像読取部の構成を示す図
【図３】線順次方式の画像の読み取り原理を説明する図
【図４】画像処理部の機能構成を示す図
【図５】エッジ強調処理を説明する図
【図６】実験結果を示す図
【発明を実施するための形態】
【００１５】
１．構成
図１は、本実施形態に係る画像形成装置１の構成を示す図である。画像形成装置１は、制御部１１と、記憶部１２と、ＵＩ（User Interface）部１３と、画像読取部１４と、画像処理部１５と、画像形成部１６とを備える。制御部１１は、画像形成装置１の各部を制御する。制御部１１は、例えばＣＰＵとメモリとを備える。ＣＰＵは、メモリに記憶されたプログラムを実行することにより、制御部１１の機能を実現する。記憶部１２は、データを記憶する。記憶部１２には、例えばハードディスクやフラッシュメモリが用いられる。ＵＩ部１３は、画像形成装置１の操作に用いられる。ＵＩ部１３は、例えばタッチスクリーンとキーとを備える。画像読取部１４は、線順次方式で画像を読み取る。画像処理部１５は、画像データに画像処理を施す。画像処理部１５は、例えばＡＳＩＣ（Application Specific Integrated Circuit）とメモリとを備える。画像形成部１６は、電子写真方式で画像データに応じた画像を媒体に形成する。この媒体は、例えば用紙である。
【００１６】
図２は、画像読取部１４の構成を示す図である。画像読取部１４は、原稿台２１と、窓部２２と、原稿送り部２３と、第１のキャリッジ２４と、第２のキャリッジ２５と、結像レンズ２６と、撮像素子２７と、Ａ／Ｄ変換器２８とを備える。原稿台２１は、ガラス等の光透過性部材で形成されている。原稿台２１の上には、読み取り対象となる原稿が置かれる。原稿送り部２３は、読み取り対象となる原稿がセットされると、セットされた原稿を搬送路に沿って一枚ずつ搬送する。窓部２２は、ガラス等の光透過性部材で形成されている。窓部２２は、搬送路上の読み取り位置Ｐと対向する位置に設けられる。
【００１７】
第１のキャリッジ２４及び第２のキャリッジ２５は、矢印ｙで示す副走査方向に沿って移動する。この副走査方向とは、原稿又は第１のキャリッジ２４が移動する方向をいう。原稿台２１の上に置かれた原稿の画像を読み取る場合、第１のキャリッジ２４は、原稿台２１の下方を移動しながら画像を読み取る。第２のキャリッジ２５は、原稿面から撮像素子２７までの光路長が定められた長さとなるように、第１のキャリッジ２４と同じ方向に半分の速度で移動する。一方、原稿送り部２３により搬送された原稿の画像を読み取る場合、第１のキャリッジ２４及び第２のキャリッジ２５は、図２において実線で示す位置へと移動して停止する。第１のキャリッジ２４は、窓部２２を介して読み取り位置Ｐと対向する位置に静止した状態で画像を読み取る。
【００１８】
第１のキャリッジ２４は、照射部３１とミラー３２とを備える。照射部３１には、主走査方向にわたって複数の光源が並べられている。この主走査方向とは、上述した副走査方向と交わる方向をいう。この光源には、例えばＬＥＤ（Light Emitting Diode）が用いられる。照射部３１は、赤、緑、青の各色の光を主走査方向にわたって照射する。このとき、照射部３１は、予め決められた読取周期内で光の色を赤、緑、青に順次切り替える。この読取周期とは、画像の読み取りにおいて１ラインを読み取る時間である。例えば、照射部３１は、赤の光を発する光源、緑の光を発する光源、青の光を発する光源を有し、これらの光源を順次発光させる。図３は、線順次方式の画像の読み取り原理を説明する図である。例えば、照射部３１は、第１の読取周期Ｃ１において、赤（Ｒ）の光、緑（Ｇ）の光、青（Ｂ）の光を順次照射する。これにより、１ライン分の画像を読み取る間に赤、緑、青の各色の光が矢印ｘで示す主走査方向にわたって照射される。続く第２の読取周期Ｃ２においても、同様の動作が行われる。
【００１９】
照射部３１から照射された光は原稿で反射された後、ミラー３２により第２のキャリッジ２５へと導かれる。第２のキャリッジ２５は、複数のミラー３３を備える。第１のキャリッジ２４から導かれた反射光は、これらのミラー３３により結像レンズ２６へと導かれる。結像レンズ２６は、第２のキャリッジ２５から導かれた反射光を撮像素子２７に結像させる。撮像素子２７は、この反射光を受信し、受信した反射光の光量に応じた画像信号を出力する。撮像素子２７としては、例えばＣＣＤ（Charge Coupled Device）イメージセンサが用いられる。撮像素子２７から出力された画像信号は、Ａ／Ｄ変換器２８によってデジタルデータに変換されて出力される。このデジタルデータは、画像の階調値を表す画像データである。
【００２０】
図４は、画像処理部１５の機能構成を示す図である。画像処理部１５は、画素補間部４１と、フィルタ処理部４２と、エッジ強調処理部４３とを備える。画像読取部１４から出力された画像データは、画素補間部４１に入力される。
【００２１】
画素補間部４１は、入力された画像データに対して画素補間を行う。この画素補間は、例えばＢｉｌｉｎｅａｒ法やＢｉＣｕｂｉｃ法を用いて行われる。図３に示すように、線順次方式で画像を読み取る場合、同一の読取周期内であっても赤、緑、青の光による画像の読み取り位置が矢印ｙで示す副走査方向にずれる。これにより、特に画像のエッジ部分に色ずれが生じてしまう。画素補間は、この色ずれを改善するために行われる。具体的には、画素補間部４１は、対象となる読取周期において読み取られた画像の階調値とその次の読取周期において読み取られた画像の階調値とを用いて、補間演算により赤、緑、青の色成分毎に画素間の階調値を求める。図３では、まず第１の読取周期Ｃ１において読み取られた画像の階調値と第２の読取周期Ｃ２において読み取られた画像の階調値とを用いて画素補間が行われる。次に第２の読取周期Ｃ２において読み取られた画像の階調値とその次の読取周期において読み取られた画像の階調値とを用いて画素補間が行われる。
【００２２】
フィルタ処理部４２には、画素補間が行われた画像データが入力される。フィルタ処理部４２は、ローパスフィルタを用いて、入力された画像データに対して高周波数成分を減衰させるフィルタ処理を施す。この高周波数成分とは、閾値よりも帯域の高い周波数成分をいう。ここでは、フィルタ処理部４２に入力された画像データの階調値を入力階調値といい、フィルタ処理後の階調値を出力階調値という。ローパルフィルタは、副走査方向の１次元フィルタである。フィルタ処理部４２は、画像データが表す注目画素の階調値とこの注目画素と副走査方向に隣り合う隣接画素の階調値とを、ローパスフィルタのフィルタ係数に応じた比率で加算して、注目画素の処理後の階調値とする。このフィルタ係数は、フィルタの強度を調整する値である。具体的には、画像データにおいてｉ番目のラインの出力階調値をｙ［ｉ］、ｉ＋１番目のラインの入力階調値をｕ［ｉ］、ローパスフィルタのフィルタ係数をＡ（０＜Ａ＜１）とすると、ｉ＋１番目のラインの出力階調値ｙ［ｉ＋１］は以下の式（１）により求められる。
【数１】
2013123110.tif 000003
【００２３】
なお、この実施形態では、副走査方向の１次元フィルタを用いてフィルタ処理を行っている。これは、カラー画像の色ずれは副走査方向にしか発生しないので、主走査方向にフィルタ処理を施す必要がないからである。また、副走査方向の１次元フィルタを用いた場合には、主走査方向と副走査方向の２次元フィルタを用いた場合に比べて、フィルタ処理の負荷が減る。これは、主走査方向と副走査方向の２次元フィルタを用いた場合には、注目画素と主走査方向に隣り合う隣接画素の階調値及び注目画素と副走査方向に隣り合う隣接画素の階調値を用いてフィルタ処理を行うことになるため、演算量が多くなるためである。
【００２４】
エッジ強調処理部４３には、フィルタ処理が施された画像データが入力される。エッジ強調処理部４３は、入力された画像データに対してエッジ部分を強調するエッジ強調処理を施す。図５は、エッジ強調処理を説明する図である。エッジ強調処理部４３に入力された画像データを元画像データＯとすると、まず元画像データＯに正規分布の係数を乗じてボケ画像データＱを作成する。このとき、正規分布の標準偏差は１とする。次に、元画像データＯとボケ画像データＱとの差分を差分画像データＤとする。具体的には、差分画像データＤは、（Ｏ−Ｑ）で求められる。この差分画像データＤは、画像のエッジ部分を表す。次に、差分画像データＤに適応量を乗じた値を元の画像データＯに加えて、処理後の画像データＵとする。この適応量は、エッジ部分の強調度合いを調整する値である。また、閾値を設け、差分画像データＤが閾値以下の場合には処理を行わない。具体的には、適応量をα、閾値をＴとすると、処理後の画像データＵは以下の式（２）により求められる。ここでは、適応量αを１、閾値Ｔを０とする。
【数２】
2013123110.tif 000004
【００２５】
エッジ強調処理部４３は、画像データにエッジ強調処理を施した後、処理後の画像データを出力する。画像形成部１６は、この処理後の画像データに応じた画像を形成して出力する。以下の説明では、画像形成部１６から出力された画像を「出力画像」という。
【００２６】
本願発明者らは、フィルタ処理及びエッジ強調処理を行った場合の効果を検証する実験を行った。この実験では、フィルタ処理で用いられるフィルタ係数の値を変更した場合における出力画像の色ずれとコントラストを観察した。また、エッジ強調処理で用いられる適応量αは１に固定した。従って、エッジ強調処理部４３では、エッジ部分が予め定められた度合いで強調されたことになる。
【００２７】
図６は、この実験結果を示す図である。図６に示す折れ線グラフの縦軸は、出力画像における赤（Ｒ）、緑（Ｇ）、青（Ｂ）のコントラストを示す。棒グラフの縦軸は、Ｃ＊工程能力指数を示す。このＣ＊工程能力指数は、カラー画像の色ずれに関する指標であり、その値が大きいほど色ずれが少ないことを示す。
【００２８】
まずＣ＊工程能力指数に注目すると、フィルタ係数の値が大きいほど、Ｃ＊工程能力指数が大きくなる。これは、フィルタ係数の値が大きいほど、色ずれが少なくなることを示す。次にコントラストに注目すると、フィルタ係数の値が大きいほど、コントラストが低くなる。つまり、フィルタ係数の値を大きくし過ぎると、色ずれは改善されるがコントラストが低下し、フィルタ係数の値を小さくし過ぎると、コントラストは向上するが色ずれが改善されない。したがって、色ずれとコントラストの両方の観点から見て画質を改善するには、フィルタ係数の値がある範囲の値であることが好ましい。
【００２９】
図６に示すグラフの左端には、比較のために、フィルタ処理を行わない場合における出力画像の色ずれとコントラストが示されている。フィルタ係数の値を０．１５以上０．２以下の範囲の値にした場合には、フィルタ処理を行わない場合に比べて、Ｃ＊工程能力指数及びコントラストがいずれも向上する。つまり、この場合には、色ずれとコントラストとが両方とも改善される。特に、フィルタ係数の値を０．１８にした場合には、色ずれとコントラストとが両方とも良好な状態になる。また、フィルタ係数の値を０．１以上０．３以下の範囲の値にした場合には、フィルタ処理を行わない場合に比べて、少なくともＣ＊工程能力指数又はコントラストが向上する。この場合には、Ｃ＊工程能力指数又はコントラストが低下する部分があるが、その下げ幅は小さいため、色ずれとコントラストの両方の観点から見ると画質が改善されているといえる。
【００３０】
この実験結果によれば、フィルタ処理で用いられるフィルタ係数の値は、０．１以上０．３以下の範囲で設定されるのが好ましい。色ずれとコントラストを両方とも改善するには、フィルタ係数の値は、０．１５以上０．２以下の範囲で設定されるのが好ましい。さらに色ずれとコントラストを両方とも良好な状態にするには、フィルタ係数の値は、０．１８に設定されるのが好ましい。
【００３１】
カラー画像の色ずれを改善するために、画像処理部１５において画素補間だけを行った場合には、出力画像がぼやけてしまう。この実施形態では、画像処理部１５において画素補間を行った後、フィルタ処理とエッジ強調処理を行っている。これにより、カラー画像の色ずれを改善しつつ、コントラストの高いシャープな出力画像が得られる。特に、この実施形態では、フィルタ処理の後にエッジ強調処理を行っているため、出力画像の鮮明さが失われず、出力画像の見た目の印象がよくなる。
【００３２】
２．変形例
上述した実施形態は、本発明の実施例の一例である。本発明は、上述した実施形態に限定されず、以下のように変形してもよい。また、以下の変形例を組み合わせてもよい。
【００３３】
（１）変形例１
フィルタ処理において用いられるフィルタは、ローパスフィルタに限定されない。このフィルタは、特定の周波数成分を減衰するものであればよい。例えば、フィルタ処理において、特定の帯域の周波数成分を減衰するバンドパスフィルタが用いられてもよい。
【００３４】
（２）変形例２
フィルタ処理において用いられるフィルタ係数は、予め最適な値に設定されていてもよいし、動作モードに応じて値が変更されてもよい。後者の場合、記憶部１２には、フィルタ係数に用いられる複数の値が記憶される。例えば、記憶部１２には、０．１５、０．１８及び０．２の３つの値が記憶される。利用者は、ＵＩ部１３を用いて所望の動作モードを指定する。この動作モードには、標準の動作モードよりもコントラストの改善に優れた第１の動作モード、標準の動作モードよりも色ずれの改善に優れた第２の動作モードが含まれる。つまり、ＵＩ部１３は、第１の動作モード又は第２の動作モードの指定を受け付ける受付部の一例である。
【００３５】
制御部１１は、標準の動作モードにおいては、記憶部１２に記憶されたフィルタ係数の値の中から０．１８を選択してフィルタ処理部４２に供給する。フィルタ処理部４２は、制御部１１から供給された０．１８をフィルタ係数の値に設定してフィルタ処理を行う。一方、利用者により第１の動作モードが指定された場合、制御部１１は、記憶部１２に記憶されたフィルタ係数の値の中から０．１５を選択してフィルタ処理部４２に供給する。フィルタ処理部４２は、制御部１１から供給された０．１５をフィルタ係数の値に設定してフィルタ処理を行う。また、利用者により第２の動作モードが指定された場合、制御部１１は、記憶部１２に記憶されたフィルタ係数の値の中から０．２を選択してフィルタ処理部４２に供給する。フィルタ処理部４２は、制御部１１から供給された０．２をフィルタ係数の値に設定してフィルタ処理を行う。この変形例では、第１の動作モード又は第２の動作モードが利用者により指定される。つまり、色ずれ又はコントラストのいずれかを優先して改善することが利用者により選択されることになる。
【００３６】
（３）変形例３
画像処理部１５が設けられる装置は、画像形成装置１に限定されない。例えば、画像処理部１５は、スキャナ装置に設けられてもよい。また、画像処理部１５は、画像処理装置として単体で提供されてもよい。
【００３７】
（４）変形例４
画像処理部１５は、ＣＰＵとメモリとを備えていてもよい。この場合、ＣＰＵがメモリに記憶されたプログラムを実行することにより、図４に示す画像処理部１５の機能を実現する。制御部１１のＣＰＵ又は画像処理部１５のＣＰＵにおいて実行されるプログラムは、磁気テープ、磁気ディスク、フレキシブルディスク、光ディスク、光磁気ディスク、メモリなどの記録媒体に記録した状態で提供され、画像形成装置１にインストールされてもよい。また、このプログラムは、インターネット等の通信回線を介して画像形成装置１にダウンロードされてもよい。
【符号の説明】
【００３８】
１…画像形成装置、１１…制御部、１２…記憶部、１３…ＵＩ部、１４…画像読取部、１５…画像処理部、１６…画像形成部、４１…画素補間部、４２…フィルタ処理部、４３…エッジ強調処理部
【図１】
2013123110.tif 000005
【図２】
2013123110.tif 000006
【図３】
2013123110.tif 000007
【図４】
2013123110.tif 000008
【図５】
2013123110.tif 000009
【図６】
2013123110.tif 000010